(57)【要約】      （修正有）【課題】皮膚への流体注入率を高めるスタンプ型流体注入装置を提供する。【解決手段】スタンプ型流体注入装置１０００は、流体が収容され、流体の吐出される吐出部１００ａを有する収容部材１００と；収容部材１００の吐出部１００ａに連係され、皮膚に、複数の針部２１２を有する針部材２１０と開閉部材２４０とを圧迫して微細孔を形成させるとともに、吐出部１００ａから針部材２１０側につながる流体の流路を開放させ、収容部材１００の吐出部１００ａを通過した流体を微細孔を介して皮膚に注入させる注入ユニット２００と；を含む。【選択図】図２
0003218898.tif 000002
【実用新案登録請求の範囲】
【請求項１】
流体が収容され、前記流体の吐出される吐出部を有する収容部材と；
前記収容部材の吐出部に連係され、皮膚に複数の針部を有する針部材と開閉部材とを圧迫して微細孔を形成させるとともに、前記吐出部から前記針部材側につながる前記流体の流路を開放させ、前記収容部材の吐出部を通過した前記流体を前記微細孔を介して皮膚に注入させる注入ユニットと；を含む、スタンプ型流体注入装置。
【請求項２】
前記注入ユニットは、
ボディ部、及び前記ボディ部から複数延設された前記針部を有する前記針部材と、
前記針部材が装着され、前記流体の流路が皮膚に対する前記開閉部材の圧迫により開放され、弾性部材の弾性復元力により遮断されるように構成されるハウジング組立体とを備えることを特徴とする、請求項１に記載のスタンプ型流体注入装置。
【請求項３】
前記針部材は鋸状をすることを特徴とする、請求項２に記載のスタンプ型流体注入装置。
【請求項４】
前記ハウジング組立体は、
前記収容部材の吐出部に設置され、前記流体の流路として、前記吐出部に連通する中空を有する連結ハウジングと；
前記連結ハウジングにおける、前記収容部材の吐出部の反対側の端部に設置され、前記針部材が装着され、前記中空とは中心軸が一致するハウジングホールを有する針ハウジングと；
前記連結ハウジングの中空と前記針ハウジングのハウジングホールに貫通配置され、皮膚に対する押圧によって移動して前記中空を開放させる前記開閉部材と；
皮膚に対する前記開閉部材の押圧が解除されるときに弾性力によって前記開閉部材を復帰させて前記中空を遮断するように、前記連結ハウジングに支持されて前記開閉部材を弾性支持する弾性部材と；を備えることを特徴とする、請求項２に記載のスタンプ型流体注入装置。
【請求項５】
前記連結ハウジングの中空は前記収容部材の吐出部の反対側にテーパーされたことを特徴とする、請求項４に記載のスタンプ型流体注入装置。
【請求項６】
前記連結ハウジングは、前記収容部材の吐出部の反対側の端部に内部側面に沿って係止部が設けられ、
前記針ハウジングは、
前記連結ハウジングに挿入結合されながら係止部に装着され、
前記係止部に両側端部が装着されて立てられた前記針部材が内部に挿入され、前記針部材の針部が外方に突出するように針貫通孔が設けられたことを特徴とする、請求項４に記載のスタンプ型流体注入装置。
【請求項７】
前記針ハウジングの針貫通孔は、
前記針部材が内部に配置された状態で前記流体が通過するように、横断面積を前記針部材のそれより大きくし、前記収容部材の吐出部の反対側に行くほどテーパーされたことを特徴とする、請求項６に記載のスタンプ型流体注入装置。
【請求項８】
前記針ハウジングは、前記針貫通孔の下部から側方向に延びた係止溝を有し、
前記針部材は、針ハウジングの針貫通孔に挿入されながらも前記針貫通孔の係止溝に係止されるように、前記ボディ部の下部に側方向に突出した突出部を有することを特徴とする、請求項６に記載のスタンプ型流体注入装置。
【請求項９】
前記開閉部材は、
前記連結ハウジングの中空に貫通配置され、前記連結ハウジングの中空を遮断するように前記収容部材の吐出部側の端部に側方向に拡張された拡張部が設けられた開閉バーと、
前記開閉バーにおける、前記中空の外部側の端部に連結されて前記針ハウジングのハウジングホールに貫通配置され、前記開閉バーに連結される一端部には前記弾性部材によって弾性支持される側突出部が突設され、皮膚に対する前記開閉部材の押圧ができるように他端部が前記ハウジングホールの外側に配置される押圧バーとを備えることを特徴とする、請求項４に記載のスタンプ型流体注入装置。
【請求項１０】
前記開閉バーは、外周面が前記連結ハウジングの中空内面から離隔し、或いは外周面に前記中空と連通する溝条が長さ方向に沿って設けられたことを特徴とする、請求項９に記載のスタンプ型流体注入装置。
【考案の詳細な説明】
【技術分野】
【０００１】
本考案は、スタンプ型流体注入装置であって、皮膚のケアや治療などに使用される化粧品を含む流体、または毛髪の治療などに使用される治療液などの流体を注入するスタンプ型流体注入装置に関する。
【背景技術】
【０００２】
一般に、ヒトの皮膚は、表皮（外皮）層、真皮（内皮）層、皮下組織層に分けられるが、健康で若い皮膚は、真皮層の約８０％がコラーゲンやエラスチンなどで満たされている。
【０００３】
しかし、真皮層は、時間が経つほどコラーゲン及びエラスチンの量が著しく減少（収縮）し、これにより、真皮層が薄くなって肌が乾いたり肌にシワが生じたりして肌の弾力が減少する。
【０００４】
したがって、ハリのある肌を維持するために、コラーゲンやエラスチンなどの生成に役立つ各種栄養物質、例えばビタミンＣやペプチドなどの物質（機能性流体）を皮膚に塗布することにより防止してきた。
【０００５】
ところが、肌に塗布された栄養物質が表皮層を通過して真皮層に浸透される量は、全体含有量の０．３％前後であって、相当微々たる水準に過ぎない。
【０００６】
このように、前述した各種栄養物質を単に皮膚の表皮層に塗布するだけではその効果の発揮に非常に微弱なので、このような栄養物質を、皮膚の内部に位置する真皮層まで損失なしに効率よく浸透させる機構の開発が早急に求められる実情である。
【先行技術文献】
【特許文献】
【０００７】
【特許文献１】韓国特許第１０−１６０８１７９号公報
【考案の概要】
【考案が解決しようとする課題】
【０００８】
本考案は、かかる問題点を解決するためになされたもので、その目的は、皮膚への流体注入率を高めるスタンプ型流体注入装置を提供することにある。
【課題を解決するための手段】
【０００９】
上記の目的を達成するために、本考案の一実施形態に係るスタンプ型流体注入装置は、流体が収容され、前記流体の吐出される吐出部を有する収容部材と；前記収容部材の吐出部に連係され、皮膚に、複数の針部を有する針部材と開閉部材とを圧迫して微細孔を形成させるとともに、前記吐出部から前記針部材側につながる前記流体の流路を開放させ、前記収容部材の吐出部を通過した前記流体を前記微細孔を介して皮膚に注入させる注入ユニットと；を含む。
【００１０】
ここで、前記注入ユニットは、ボディ部、及び前記ボディ部から複数延設された前記針部を有する前記針部材と、前記針部材が装着され、前記流体の流路が皮膚に対する前記開閉部材の圧迫により開放され、弾性部材の弾性復元力により遮断されるように構成されるハウジング組立体とを備えてもよい。
【００１１】
この際、前記針部材は鋸状をすることが好ましい。
【００１２】
前記ハウジング組立体は、前記収容部材の吐出部に設置され、前記流体の流路として、前記吐出部に連通する中空が形成された連結ハウジングと；前記連結ハウジングにおける、前記収容部材の吐出部の反対側の端部に設置され、前記針部材が装着され、前記中空とは中心軸と一致するハウジングホールを有する針ハウジングと；前記連結ハウジングの中空及び前記針ハウジングのハウジングホールに貫通配置され、皮膚に対する押圧によって移動して前記中空を開放させる前記開閉部材と；皮膚に対する前記開閉部材の押圧が解除されるときに弾性力によって前記開閉部材を復帰させて前記中空を遮断するように、前記連結ハウジングに支持されて前記開閉部材を弾性支持する弾性部材と；を備えてもよい。
【００１３】
ここで、前記連結ハウジングの中空は、前記収容部材の吐出部の反対側にテーパーされてもよい。
【００１４】
また、前記連結ハウジングは、前記収容部材の吐出部の反対側の端部に内部側面に沿って係止部が設けられ、前記針ハウジングは、前記連結ハウジングに挿入結合されながら係止部に装着され、前記係止部に両側端部が装着されて立てられた前記針部材が内部に挿入され、前記針部材の針部が外方に突出するように針貫通孔が設けられてもよい。
【００１５】
この際、前記針ハウジングの針貫通孔は、前記針部材が内部に配置された状態で前記流体が通過するように、横断面積を前記針部材のそれより大きくし、前記収容部材の吐出部の反対側に行くほどテーパーされてもよい。
【００１６】
一方、前記針ハウジングは、前記針貫通孔の下部から側方向に延びた係止溝を有し、前記針部材は、針ハウジングの針貫通孔に挿入されながらも前記針貫通孔の係止溝に係止されるように、前記ボディ部の下部に側方向に突出した突出部を有してもよい。
【００１７】
前記開閉部材は、前記連結ハウジングの中空に貫通配置され、前記連結ハウジングの中空を遮断するように前記収容部材の吐出部側の端部に側方向に拡張された拡張部が設けられた開閉バーと、前記開閉バーの前記中空の外部側の端部に連結され、前記針ハウジングのハウジングホールに貫通配置され、前記開閉バーに連結される一端部には前記弾性部材によって弾性支持される側突出部が突設され、皮膚に対する前記開閉部材の押圧ができるように他端部が前記ハウジングホールの外側に配置される押圧バーとを備えてもよい。
【００１８】
このとき、前記開閉バーは、外周面が前記連結ハウジングの中空内面から離隔し、或いは外周面に前記中空と連通する溝条が長さ方向に沿って設けられてもよい。
【考案の効果】
【００１９】
本考案に係るスタンプ型流体注入装置は、皮膚に針部材と開閉部材を圧迫して微細孔を形成させるとともに、吐出部から針部材側につながる流体の流路を開放させ、収容部材の吐出部を通過した流体を微細孔を介して皮膚に注入させるように注入ユニットを含むことにより、針部材によって皮膚に微細孔を短時間で多く穿設するとともに微細孔を介して大量の流体を皮膚に注入させるので、皮膚への流体注入率を向上させることができるという効果を持つ。
【図面の簡単な説明】
【００２０】
【図１】本考案の一実施形態に係るスタンプ型流体注入装置を示す斜視図である。
【図２】図１のスタンプ型流体注入装置を示す分解斜視図である。
【図３】図２のスタンプ型流体注入装置を示す縦断面図である。
【図４】図３のスタンプ型流体注入装置を組み立てたことを示す組立図である。
【図５】図４のスタンプ型流体注入装置において針部材が皮膚にローリング圧迫されながら流体が移動することを示す図である。
【図６】図２のスタンプ型流体注入装置における針部材を示す斜視図である。
【図７】図２のスタンプ型流体注入装置における開閉バーを示す斜視図である。
【考案を実施するための形態】
【００２１】
以下、本考案の例示的な図面を参照して詳細に説明する。各図面の構成要素に図面符号を付加するにあたり、同一の構成要素については、たとえ他の図面上に表示されても、できる限り同一の符号を持つようにしていることに留意する。また、本考案を説明するにあたり、関連した公知の構成または機能についての具体的な説明が、本考案の要旨を曖昧にするおそれがあると判断された場合、その詳細な説明は省略する。
【００２２】
図１は本考案の一実施形態に係るスタンプ型流体注入装置を示す斜視図、図２は図１のスタンプ型流体注入装置を示す分解斜視図、図３は図２のスタンプ型流体注入装置を示す縦断面図である。
【００２３】
また、図４は図３のスタンプ型流体注入装置を組み立てたことを示す組立図、図５は図４のスタンプ型流体注入装置において針部材が皮膚にローリング圧迫されながら流体が移動することを示す図である。
【００２４】
さらに、図６は図２のスタンプ型流体注入装置における針部材を示す斜視図、図７は図２のスタンプ型流体注入装置における開閉バーを示す斜視図である。
【００２５】
図面を参照すると、本考案に係るスタンプ型流体注入装置１０００は、収容部材１００と注入ユニット２００とを含む。
【００２６】
ここで、前記収容部材１００は、内部に流体が収容される収容空間を有し、収容された流体が外部に出てくる通路として、上部に吐出部が設けられるが、外形を含む具体的な形状は、本考案によって限定されず、液体を収容することが可能な吐出部がある構造であれば、従来の如何なる構造も活用できる。
【００２７】
ちなみに、前記流体は、皮膚１のケアや治療などに使用される化粧品、または毛髪の治療などに使用される治療液などが活用できる。
【００２８】
また、前記注入ユニット２００は、収容部材１００の吐出部１００ａに連係され、皮膚１に針部材２１０と開閉部材２４０を圧迫して微細孔を形成させるとともに、吐出部から針部材２１０側につながる流体の流路を開放させるように構成される。これにより、収容部材１００の吐出部１００ａを通過した流体を微細孔を介して皮膚１に注入させる役割を果たす。
【００２９】
具体的に、前記注入ユニット２００は針部材２１０とハウジング組立体Ｈとを備えることができる。
【００３０】
ここで、前記針部材２１０は、ボディ部２１１と針部２１２からなるが、この時、針部２１２は、ボディ部２１１から複数個が延設された構造を持つ。
【００３１】
一例として、前記針部材２１０は、鋸状をすることができる。
【００３２】
すなわち、前記針部材２１０は、針状をし、前記ボディ部２１１がプレート形状であり、前記針部２１２は、前記ボディ部２１１と一体になり、前記ボディ部の末端に複数個が隔設され得る。
【００３３】
このように、前記針部材２１０は鋸状をとるのに対し、従来のスタンプ型流体注入装置１０００で使用されるニードルは針棒状をとるが、このような形状の差により、本考案の針部材２１０と従来技術によるニードルとは素材、製造方法および組立方法が互いに異なることにより、最終的には生産性の観点から従来の考案と比較して本考案の針部材２１０が著しく高い効率を持つ。
【００３４】
まず、素材の観点から、本考案の針部材２１０は金属板を素材とするのに対し、従来技術によるニードルは金属ワイヤーを素材とする。
【００３５】
これにより、製造方法の観点から、本考案の針部材２１０は、金属板を素材として化学的エッチングによって迅速かつ簡単に製造されるのに対し、従来技術によるニードルは、細い金属ワイヤーを一つ一ついちいち加工しなければならないことにより、製造工程が非常に複雑で長い時間がかかる。しかも、針部２１２の数を基準にすると、本考案は、図示の如く、４つの針部材２１０でも２０個の針部２１２を持つことができるが、これに対し、従来技術は、２０個の針部２１２を持つためには２０個のニードルを作らなければならないことにより、製品の生産時間及び作業負荷が著しく多くかかるという欠点がある。
【００３６】
また、組立方法の観点から、本考案の針部材２１０は、作業者が直接手で掴んで容易にハウジング組立体Ｈに入れて組み立てることができるのに対し、従来技術によるニードルは、直径の非常に小さい棒（ワイヤー形状）をすることにより、作業者がピンセットで取っていちいちハウジングに入れなければならない。よって、本考案は、労働の難易度及び時間の観点から労働負荷がかなり効率的であるという利点がある。
【００３７】
最後に、生産性の観点から、上述した比較点を考慮するとき、本考案のスタンプ型流体注入装置１０００は、生産性が格段に高いので最終製品価格が相当低く設定できるという利点があるが、これに対し、従来技術によるスタンプ型流体注入装置１０００は、生産性が相対的に格段に劣ることにより、本考案よりも最終製品価格が数倍も高い価格に設定されなければならないという限界点がある。
【００３８】
前記ハウジング組立体Ｈは、針部材２１０が装着され、流体の流路が皮膚１に対する開閉部材２４０の圧迫で開放され、弾性部材２５０の弾性復元力で遮断されるように構成できる。
【００３９】
具体的に、前記ハウジング組立体Ｈは、連結ハウジング２２０、針ハウジング２３０、開閉部材２４０、および弾性部材２５０を備えることができる。
【００４０】
ここで、前記連結ハウジング２２０は、収容部材１００の吐出部１００ａに設置され、前記流体の流路として、吐出部１００ａと連通する中空２２０ａが形成される。これにより、収容部材１００の吐出部を介して吐出された流体は、連結ハウジング２２０の中空２２０ａに流入して中空２２０ａに沿って移動する。
【００４１】
さらに、前記連結ハウジング２２０は、後述する開閉部材と針ハウジングが引き込み配置された連結溝２２０ｃが凹設される。
【００４２】
また、前記針ハウジング２３０は、連結ハウジング２２０における、収容部材１００の吐出部１００ａの反対側の端部に設置され、針部材２１０が装着され、中空２２０ａとは中心軸が一致するハウジングホール２３０ａを有する。
【００４３】
また、前記開閉部材２４０は、連結ハウジング２２０の中空２２０ａと針ハウジング２３０のハウジングホール２３０ａに貫通配置され、皮膚１への押圧によって移動して中空２２０ａを開放させる構造を取る。すなわち、図５に示すように、開閉部材２４０が皮膚１に圧迫される場合には、開閉部材２４０が収容部材１００側に移動することにより、連結ハウジング２２０の中空２２０ａを塞がなくなる。ちなみに、このときの弾性部材２５０は、開閉部材２４０によって上側に圧縮される。
【００４４】
前記弾性部材２５０は、連結ハウジング２２０に支持されて開閉部材２４０を弾性支持するが、皮膚１への開閉部材２４０の押圧が解除されるとき、弾性復元力によって開閉部材２４０を下方に押して開閉部材２４０の位置を復帰させて中空２２０ａを遮断する。すなわち、図４に示すように、皮膚１への開閉部材２４０の押圧が解除された場合には、弾性部材２５０が弾性復元力によって開閉部材２４０を連結ハウジング２２０の中空２２０ａから遠ざかるように移動（下降）させることにより、開閉部材２４０が連結ハウジング２２０の中空２２０ａを塞ぐことになる。
【００４５】
さらに具体的には、前記開閉部材２４０は、開閉バー２４１と押圧バー２４２を備えることができる。
【００４６】
ここで、前記開閉バー２４１は、連結ハウジング２２０の中空２２０ａに貫通配置される。
【００４７】
このような開閉バー２４１は、連結ハウジング２２０の中空２２０ａを遮断するように収容部材１００の吐出部１００ａ側の端部に側方向に拡張された拡張部２４１ａが設けられる。
【００４８】
この際、前記拡張バーが連結ハウジング２２０の中空２２０ａを収容部材１００の吐出部１００ａ側で塞ぐ場合には、連結ハウジング２２０の中空２２０ａが遮断されて流体が針部材２１０側へ流れず、拡張バーが連結ハウジング２２０の中空２２０ａから収容部材１００の吐出部１００ａ側に離隔した場合には、連結ハウジング２２０の中空２２０ａが遮断されないことにより、流体が連結ハウジング２２０の中空２２０ａを介して針部材２１０側へ流れる。
【００４９】
また、前記開閉バー２４１は、外周面に中空２２０ａと連通する溝条２４１ｂが長さ方向に沿って凹設できる。
【００５０】
前記収容部材１００の吐出部を介して吐出された流体は、針部材２１０側へ移動するために連結ハウジング２２０の中空２２０ａを通過しなければならないが、開閉バー２４１が連結ハウジング２２０の中空２２０ａの内面とほぼ接触した状態である場合には、隙間が殆どないので、連結ハウジング２２０の中空２２０ａを介した流体の移動量が微々たるという限界点がある。
【００５１】
これを防止するために、開閉バー２４１は、連結ハウジング２２０の中空２２０ａと連通するように外周面に長さ方向に沿って溝条２４１ｂが凹設されることにより、連結ハウジング２２０の中空２２０ａの内側に流入した流体の十分な量が開閉バー２４１の溝条２４１ｂを介して針部材２１０側へ円滑かつ容易に流れて移動することができる。
【００５２】
さらに、たとえ図示してはいないが、他の一例として、前記開閉バー２４１は、外周面が連結ハウジング２２０の中空２２０ａの内面と一定間隔離間した状態を維持することにより、連結ハウジング２２０の中空２２０ａの内側に流入する流体が連結ハウジング２２０の中空２２０ａの内面と開閉バー２４１との離間間隔を介して針部材２１０側へ円滑かつ容易に流れて移動することができる。
【００５３】
前記押圧バー２４２は、開閉バー２４１を介して中空２２０ａの外部側の端部に連結され、針ハウジング２３０のハウジングホール２３０ａに貫通配置される。
【００５４】
このような押圧バー２４２は、開閉バー２４１と連結された一端部に、弾性部材２５０によって弾性支持される側突出部２４２ａが突設され、皮膚１への開閉部材２４０の押圧ができるように他端部がハウジングホール２３０ａの外部に配置される。この際、前記押圧バー２４２の他端部は、皮膚１に接触して押圧される部位であって、皮膚１に傷が生じることを防止するように先端が屈曲形状であることが好ましい。
【００５５】
一方、前記連結ハウジング２２０の中空２２０ａは、収容部材１００の吐出部１００ａの反対側にテーパーされるように形成できる。
【００５６】
前記連結ハウジング２２０は、収容部材１００の吐出部１００ａが挿入されて組み立てられる組立溝２２０ｂを有するが、収容部材１００の吐出部１００ａを介して吐出された流体が最初に組立溝２２０ｂ内に留まる。
【００５７】
このとき、もし前記中空２２０ａにおける、収容部材１００の吐出部１００ａ側の部分がテーパーされず単に直角構造である枠構造を取った場合は、流体が連結ハウジング２２０の中心部の中空２２０ａ側に流入し難くなるが、収容部材１００の吐出部１００ａ側の部分が漏斗形状をしてテーパーされた構造を取った場合は、収容部材１００の吐出部１００ａを介して吐出された流体が連結ハウジング２２０の中空２２０ａの内側へ円滑且つ容易に集められる。
【００５８】
また、前記連結ハウジング２２０は、収容部材１００の吐出部１００ａの反対側の端部に、内部側面に沿って係止部２２１が設けられ、前記針ハウジング２３０は、連結ハウジング２２０に挿入結合されながら係止部２２１に装着される。
【００５９】
さらに、前記針部材２１０も、連結ハウジング２２０の係止部２２１に両側端部が装着されて立てられた構造であって、揺れを防止する構造を取るが、前記針ハウジング２３０は、このような針部材２１０が内部に挿入され、針部材２１０の針部２１２が外方に突出するように針貫通孔２３０ｂを設けられる。
【００６０】
ここで、前記針ハウジング２３０の針貫通孔２３０ｂは、針部材２１０が内部に配置された状態で流体が通過するように、横断面積を針部材２１０のそれより大きくし、図３に示すように、収容部材１００の吐出部１００ａの反対側に行くほどテーパーされた構造を取ることができる。これにより、針貫通孔２３０ｂの内部における、針部材２１０の周辺隙間を介して流体が流動することが可能な流動ルートを確保することにより、皮膚１側へ流体を供給することができるとともに、針部材２１０における上部側に行くほど針部材２１０の周辺隙間が狭くなることにより、皮膚１の施術中にも針部材２１０を揺れることなく強固に支持するので、安定した施術を行うことができる。さらに、このようにテーパーされた針貫通孔２３０ｂは、針ハウジング２３０の上面に移動した流体が針貫通孔２３０ｂ側へ円滑かつ容易に流入することができるようにガイドする。
【００６１】
前記針ハウジング２３０は、図２に示すように、針貫通孔２３０ｂの下部から側方向に延びた係止溝２３０ｃを有し、前記針部材２１０は、針ハウジング２３０の針貫通孔２３０ｂに挿入されながらも針貫通孔２３０ｂの係止溝２３０ｃに係止されるように、ボディ部２１１の下部に側方向に突出した突出部２１１ａを有する。
【００６２】
このように針ハウジング２３０と針部材２１０に係止溝２３０ｃと突出部２１１ａが設けられることにより、針ハウジング２３０の針貫通孔２３０ｂに対する針部材２１０の挿入の際に針部材２１０の突出部２１１ａがカバー部の係止溝２３０ｃに係止されることにより、カバー部の針貫通孔２３０ｂに挿入される針部材２１０が針貫通孔２３０ｂを通過して抜けず、堅固な組立固定構造をなす。これは、針部材２１０がハウジング組立体Ｈの内部で簡便かつ非常に容易に係止固定構造によって装着固定できるようにする。
【００６３】
次に、上述したスタンプ型流体注入装置１０００が皮膚１を圧迫して施術する状態での流体の移動過程を、図５を参照して説明する。
【００６４】
被施術者の皮膚１上に開閉部材２４０を圧迫すると、開閉部材２４０は、皮膚１上での高さの変化がなくなるが、施術者の手に把持された収容部材１００の下方圧迫により、収容部材１００と連結ハウジング２２０は下方に下がる。
【００６５】
これにより、前記開閉部材２４０の開閉バー２４１に形成された拡張部２４１ａが連結ハウジング２２０の中空２２０ａの上部内面から上方に移動して離隔することにより、収容部材１００の吐出部１００ａを介して吐出された流体の流路としての役割を果たす連結ハウジング２２０の中空２２０ａが開放される。
【００６６】
このような状態で、前記収容部材１００の吐出部１００ａから吐出された流体は、中空２２０ａを介して下降するが、具体的には、開閉バー２４１の溝条２４１ｂに沿って下側に移動して針ハウジング２３０の上面に移動し、最終的には針ハウジング２３０の貫通孔を介して針部材２１０まで移動する。その結果として、針部材２１０によって形成された皮膚１の微細孔を介して皮膚１中に注入される。
【００６７】
ちなみに、施術者が収容部材１００を持ち上げて被施術者の皮膚１から開閉部材２４０の圧迫が解除されると、図４に示すように、弾性部材２５０の上端部が連結ハウジング２２０に支持された状態で開閉部材２４０を下方に押し出すことにより、開閉バー２４１が下降するにつれて開閉バー２４１の拡張部２４１ａが連結ハウジング２２０の中空２２０ａを遮断する。
【００６８】
つまり、本考案に係るスタンプ型流体注入装置１０００は、皮膚１に針部材２１０と開閉部材２４０を圧迫して微細孔を形成させるとともに、吐出部１００ａから針部材２１０側につながる流体の流路を開放させ、収容部材１００の吐出部１００ａを通過した流体を微細孔を介して皮膚１に注入させるように注入ユニット２００を構成することにより、針部材２１０によって皮膚１に微細孔を短時間内に多く穿孔させるとともに微細孔を介して大量の流体を皮膚１に注入させるので、皮膚１への流体注入率を向上させることができる。
【００６９】
以上のように、本考案は、たとえ限定された実施形態と図面によって説明されたが、本考案は、これによって限定されず、本考案の属する技術分野における通常の知識を有する者によって本考案の技術思想と特許請求の範囲の均等範囲内で多様な修正及び変形が可能である。
【符号の説明】
【００７０】
１    皮膚
１０００    スタンプ型流体注入装置
１００    収容部材
１００ａ    吐出部
２００    注入ユニット
２１０    針部材
２１１    ボディ部
２１１ａ    突出部
２１２    針部
Ｈ    ハウジング組立体
２２０    連結ハウジング
２２０ａ    中空
２２０ｂ    組立溝
２２０ｃ    連結溝
２２１    係止部
２３０    針ハウジング
２３０ａ    ハウジングホール
２３０ｂ    針貫通孔
２３０ｃ    係止溝
２４０    開閉部材
２４１    開閉バー
２４１ａ    拡張部
２４１ｂ    溝条
２４２    押圧バー
２４２ａ    側突出部
２５０    弾性部材
【図１】
0003218898.tif 000003
【図２】
0003218898.tif 000004
【図３】
0003218898.tif 000005
【図４】
0003218898.tif 000006
【図５】
0003218898.tif 000007
【図６】
0003218898.tif 000008
【図７】
0003218898.tif 000009